(57)【要約】【課題】  従来技術の欠点を回避する縁固定を作る可能性をもたらすことである。【解決手段】  各場合において縁取り（５，７）が、二層を有する平坦な管状弾性バンド（１３）から構成され、接着層（１４）によって体に面している下着の生地材料（１０）の左側（１２）に固定されることを特徴とする、ウエストバンド及び足開口部において縁取りを有する生地材料のブランクで作られた、特に女性用のパンティなどの下着によって解決される。【選択図】  図３
2008274531.tif 000002
【特許請求の範囲】
【請求項１】
ウエストバンド及び足開口部に縁取りを有する生地材料のブランクで作られた下着、例えば特に女性用のパンティにおいて、
各場合の縁取り（５，７）が、体に面している下着の生地材料（１０）の左側（１２）に接着層（１４）によって固定された、二層を有する平坦な管状弾性バンド（１３）を含むことを特徴とする、下着。
【請求項２】
管状弾性バンド（１３）が、体から隔たった外側層（１３ａ）のみで接着層（１４）によって生地材料（１０）と接合されることを特徴とする、請求項１に記載の下着。
【請求項３】
接着層（１４）に面している管状弾性バンド（１３）の外側層（１３ａ）が、体に面している内側層（１３ｂ）よりも高密度の構造を有していることを特徴とする、請求項１又は２に記載の下着。
【請求項４】
接着層（１４）が、圧力及び／又は熱を加えることによって活性化し得る感熱性材料を有していることを特徴とする、請求項１〜３のいずれか一項に記載の下着。
【請求項５】
接着層がブランクの縁領域に直接、例えばスプレー、圧延又は印刷処理によってつけられることを特徴とする、請求項４に記載の下着。
【請求項６】
管状弾性バンド（１３）と生地材料（１０）との間に、それらを互いに接合するために置かれた接着ストリップ（１７）に、接着層（１４）が当てはまることを特徴とする、請求項４に記載の下着。
【請求項７】
管状弾性バンド（１３）が、ブランクの自由端で溶接縫い目（１６）によってブランクの生地材料（１０）に固定されることを特徴とする、請求項１〜６のいずれか一項に記載の下着。
【請求項８】
以下のａ）〜ｆ）の特徴、即ち
ａ）一方で平坦な管状領域を有し、この傍らに単層領域（１８）を有している弾性バンド（１３）に、例えば接着ストリップ（１７）のような接着層（１４）が取り付けられること、
ｂ）接着層（１４）を備えた弾性バンド（１３）が、ブランクの生地材料（１０）の右側（１１）の縁領域に、弾性バンド（１３）の単層領域（１８）の縁が生地材料（１０）の縁と本質的に境を接するように置かれていること、
ｃ）接着層（１４）を備えた弾性バンド（１３）が、単層領域（１８）へ移行する管状領域の点において、縫い目（１６）によって生地材料（１０）と接合されていること、
ｄ）縫い目（１６）の外側に位置したブランクの縁領域（２０）及び弾性バンド（１３）の単層領域（１８）が除去されること、
ｅ）接着層（１４）を備えた弾性バンド（１３）の管状領域が、縫い目（１６）を包み、それによって接着層（１４）がブランクの生地材料（１０）の左側（１２）に隣接して配置されること、及び
ｆ）接着層（１４）の活性化により、ブランクの生地材料（１０）の左側（１２）に隣接する弾性バンド（１３）の管状領域の外側層（１３ａ）が、ブランクの材料（１０）と接合されること、によって特徴付けられる請求項１〜７のいずれか一項に記載の縁を製造するためのプロセス。
【請求項９】
接合縫い目（１６）が、特に超音波溶接による溶接縫い目として作られることを特徴とする、請求項８に記載のプロセス。
【発明の詳細な説明】
【技術分野】
【０００１】
本発明は、ウエストバンド及び足開口部において縁取りを備えた生地材料から切り取られたブランクから作られた下着、例えば、特に女性用のパンティに関連している。
【背景技術】
【０００２】
この種類の下着、例えばパンティは通常、生地材料から切り取られたワンピース又はマルチピースのブランクを有し、ブランクの縁は、特に上部縁いわゆるウエストバンド及び足開口部において縁取りをされなければならない。これら縁取り、例えば縫い目は、ほつれに耐え得る完成された縁をもたらすためにだけではなく、体に対するパンティの伸縮性のあるフィッティングを成すためにも必須である。
【０００３】
この種類の公知の縁取りは、縁を折り込み且つ伸縮性のある（弾性）バンドを取り付けることによって成され、部品の接合は通常、糸で作られた縫い目を用いることによって生じる。縫われた縫い目を備えた縁折込は、これらの領域において特にぴったり合った衣服下で目立ち得るような、材料の厚みを増すだけでなく、しばしば皮膚刺激をもたらす。糸が食い込み得る、より厚いバンドが用いられる場合、縁固定はぴったり合った衣服下でなおさら目立つ。
【０００４】
このような縁取りの厄介な厚みを抑えるために、折り込むことなく、単に生地材料に弾性バンドを接着又は溶接することによって縁取りを成すことも知られている。この場合、しかしながら生地ブランクの未加工縁はみっともなく見える。折ることによって未加工縁を避けるという試みが成される場合、再び縁厚みの増加が、ぴったり合った衣服下での望まない縫い目の目立ちという結果をもたらすことになる。
【０００５】
加えて、特にウエストバンドは弾性バンドの接着又は溶接でのその幅のために、パンティを装着した場合に断面湾曲を被る傾向があるということが不利益としてしばしば認められている、というのは円周方向における応力が、弾性バンドの長軸の領域において体表面にいくらか深く弾性材料を食い込ませる原因となるからである。
【発明の開示】
【発明が解決しようとする課題】
【０００６】
この背景に対し、本発明は上記欠点が除かれるような、上記種類の縁固定を実現することを課題とする。
【課題を解決するための手段】
【０００７】
本発明によると、この課題は請求項１に明記された特徴を備えた下着によって成し遂げられる。
【０００８】
そのような下着に縁取りを作るためのプロセスが、請求項８の客体である。
【０００９】
更なる有利な改良は、従属請求項から理解され得る。
【００１０】
本発明の基本概念は、そのような下着にウエストバンド又は足開口部において縁取りを完成するために、接着層を介して体に面している下着の生地材料の側に固定された、平坦な管状弾性バンドを用いることによって構成される。管状弾性バンドが、この（材料）に隣接するその外側層のみを介して接着層によって生地材料に接合され、且つ体から隔たっているということが、このプロセスにおける特に利点である。
【００１１】
個々の部品を接合するための接着層の使用によって、糸で縫われた縫い目無しで済ますことが可能となり、それによっていかなる皮膚刺激をも回避され得る。部品の相互接合は、溶接された縫い目、特に超音波溶接によって成し遂げられ得る。
【００１２】
接着層による管状弾性バンドと生地材料との表面接合は、体から離れ、且つ生地材料に隣接した外側層間でのみ生じるということが、本発明の本質である。このことは、弾性バンドの管状構造がその最終段階において保持され、それによって下着が装着される場合に、せいぜい体に隣接する管状弾性バンドの内側層が横方向（短軸方向）において湾曲することによって体にフィットし、一方で接着層を介して生地材料と接合されている管状弾性バンドの外側層は、平坦なままであるという事実をもたらす。よって、外側からはいかなる締め付けも認識されない。
【００１３】
接合の際、管状弾性バンドの実際に外側層だけがブランクの生地材料と接合されることを確保するために、管状バンドのこの外側層をより高密度の構造体とすることが有利であり、それによって接着剤の浸透を回避する。次に、体に隣接している内側層は、幾分密でなく作られ得、そうすることによってそれは肌に対して穏やかにかかる。
【００１４】
本発明の更なる目的は、請求項８に従って上記タイプの下着において縁取りを作るためのプロセスである。
【００１５】
このプロセス、即ち、接合されるべき部品の配列、いわゆる接着層、特に接着ストリップを備えた管状弾性バンドと、ブランクの生地材料との縁が合わせられた後、溶接縫い目、特に超音波溶接縫い目を介した接合が実施され、且つ最終段階に必要である内側位置にこの溶接縫い目を包み込んで接着ストリップと共に管状弾性バンドが折られることによって、完全に滑らかな下着の外観が縁取りにおいて成し遂げられ、且つ、総合的に非常に平坦な外観であって、ぴったり合った衣服下ですら目立たない。
【００１６】
それらによって成し遂げられる本発明の更なる特徴及び利点は、図中で例示される実施形態の以下の記載から明らかとなるであろう。
【発明を実施するための最良の形態】
【００１７】
図を基に本発明は、女性用下着パンティの実施例を用いて説明されるが、しかしそのような女性用下着に制限されるべき、本発明の用途範囲は記載されていない。しかしながら、本発明に係る下着の縁取りはまた、同様に男性及び子供用下着の品目においても共通の用途として応用され得る。
【００１８】
図１の前面図中に示されるように、パンティ１は、前部分２及び後部分３を有している。有利には、上記二つの部分が適切な生地材料で作られた一重のブランクから構成されており、上記ブランクの二つの末端は図示されていない後部縫い目（バックシーム、back  seam）において互いに接合される。パンティ１の上部縁４におけるものは、ウエストバンド５の形状をした縁取りであり、同様に足開口部６が縁取り７によって固定されている。ガセット（三角布、gusset）８の領域におけるものは、後部領域のものと類似の縫い目である。これらは本発明の目的ではない。
【００１９】
ウエストバンド５及び足開口部６における縁取りが詳細図Aに示されている一方で、図２は図１中の線II〜IIに沿ってウエストバンド５を通る断面図を示す。パンティ１の外側におけるものは、ブランクを形成している生地材料１０であって、その右側１１は体と面していない外側を形成し、左側１２は体に面している内側を形成する。ウエストバンド５はそれ自身が平坦な、管状弾性バンド１３によって形成されており、その外側層１３ａは例えば接着ストリップである接着層１４によって生地材料１０と接合される。内側層１３ｂは体に隣接している。縁折り目１５は、少なくとも外側へ向かって溶接縫い目１６を覆い、それによって弾性バンド１３が生地材料１０の外側縁と接合される。ウエストバンド５における縁取りの本実施形態が作り出される方法は、図３に基づいて以下に記載される。
【００２０】
図３は多くの処理工程の断面図であり、本発明に係るパンティにおける縁デザインの製造手順を示す。
【００２１】
図３のａは第一工程であり、後にバンド１３を生地材料１０と接合するための接着層１４を形成する感熱性接着剤を備えた接着ストリップ１７が、どのようにして平坦な管状弾性バンド１３に取り付けられるのかを表している。一方で管状弾性バンド１３は、単層の延長部分１８を有しており、以下に説明されるように、取り扱いを容易にするために用いられる。
【００２２】
図３のｂに示すように、更なる処理工程において、単層突起物１８を備えた弾性管状バンド１３と接着ストリップ１７との組み合わせ（物）が、特に弾性バンド１３の右側が生地材料１０の右側１１上にあるように、ブランクの生地材料１０上に置かれる。
【００２３】
製造における本質的な工程を図３のｃに示す。この図は、接触する材料が、つまり、生地材料１０、管状バンド１３及び接着ストリップ１７が、例えば管状バンド１３の二層領域が例えば超音波溶接などの溶接縫い目１６によって単層領域１８に移る点で互いにどのように接合されるのか、ということを表している。次に、溶接縫い目１６を越えて突き出ている長さｌの縁領域１９は、切断縁２０に沿って除去される。
【００２４】
管状弾性バンド１３を接着ストリップ１７で包むことにより、矢印２１及び２２で示されるように、図３のｄに示されるような状況が成し遂げられ、接着ストリップ１７と接触している管状弾性バンド１３は生地材料１０の下にある、言い換えると、可視側を形成している生地材料１０の内側にある。この処理において、接着ストリップ１７は管状弾性バンド１３とブランクの生地材料１０との間に存在する。
【００２５】
この状態において接着ストリップ１７上に配置された接着層１４は活性化され、それによって図３のｅに示されるような最終段階が成し遂げられる。圧力及び／又は熱を加えることによる接着剤の活性化において、隣接した部品間の強力な接着が生じる。ここで、体にフィットする際にいかなるくぼみにも追随するために、管状弾性バンド１３の内側層１３ｂが自由である一方で、管状弾性バンド１３の外側層１３ａが、生地材料１０の左側１２を備えた接着層１４の上にどのようにして接合されるのかを見ることができる。
【００２６】
この接合において、活性化及び内側層１３ｂを固定する際に接着剤が外側層１３ａを通り抜けることを防ぐために、管状弾性バンド１３の外側層１３ａを幾らか密な構造の生地又はメリヤス生地によって作ることが適当であるかもしれないということも強調されるべきである。その場合、内側層１３ｂは、いかなる皮膚刺激をも防止するために、より薄い、より目の開いた、且つ従ってより柔らかな生地又はメリヤス生地を有していても良い。
【図面の簡単な説明】
【００２７】
【図１】本発明に係るパンティの前面図である。
【図２】ウエストバンドの領域における縁取りを通る断面図である。
【図３】ａ〜ｅは、図２に匹敵する、本発明に係る縁取り作成における連続した作業工程の断面図である。
【符号の説明】
【００２８】
１  パンティ
２  前部分
３  後部分
４  上部縁
５  ウエストバンド
６  足開口部
７  縁取り
８  ガセット
９  −
１０  生地材料
１１  １０の右側
１２  １０の左側
１３  弾性バンド
１３ａ  １３の外側層
１３ｂ  １３の内側層
１４  接着層
１５  縁折り目
１６  溶接縫い目
１７  接着ストリップ
１８  単層延長部分
１９  縁領域
２０  切断縁
２１  矢印
２２  矢印
【図１】
2008274531.tif 000003
【図２】
2008274531.tif 000004
【図３】
2008274531.tif 000005
【外国語明細書】
2008274531000001.pdf
2008274531000002.pdf
2008274531000003.pdf
2008274531000004.pdf